(57)【要約】【課題】飛び散ったスクラップも排出することができると共に、他の装置との干渉も防止することができるスクラップ排出装置を提供すること。【解決手段】本発明は、プレス加工により生じるスクラップＳを回収するためのスクラップ排出装置１００であって、プレス機の金型１から、スクラップＳが滑り落ちるように案内する案内傾斜部２と、案内傾斜部２を滑り落ちたスクラップＳが落下するように設けられたホッパー部３と、ホッパー部３を形成する壁面のうち、案内傾斜部２とは反対側の壁面の上端の枢着部５に第１端部１７ａが枢着された蓋部７と、を備え、蓋部７がホッパー部３のホッパー開口部を開閉可能となっており、蓋部７を閉じたときに、該蓋部７の前記第１端部１７ａとは反対側の第２端部１７ｂが、第１端部１７ａよりも上方に位置するようになっているスクラップ排出装置１００である。【選択図】図１
2014184442.tif 000002
【特許請求の範囲】
【請求項１】
プレス加工により生じるスクラップを回収するためのスクラップ排出装置であって、
プレス機の金型から、前記スクラップが滑り落ちるように案内する案内傾斜部と、
前記案内傾斜部を滑り落ちた前記スクラップが落下するように設けられたホッパー部と、
前記ホッパー部を形成する壁面のうち、前記案内傾斜部とは反対側の壁面の上端の枢着部に第１端部が枢着された蓋部と、
を備え、
前記蓋部が前記ホッパー部のホッパー開口部を開閉可能となっており、
前記蓋部を閉じたときに、該蓋部の前記第１端部とは反対側の第２端部が、前記第１端部よりも上方に位置するようになっているスクラップ排出装置。
【請求項２】
前記ホッパー開口部の開口状態においては前記蓋部の一面が前記案内傾斜部に向かい合うように反対方向に傾斜した状態で配置される請求項１記載のスクラップ排出装置。
【請求項３】
前記蓋部が側断面視で直角三角形状となっている請求項１又は２に記載のスクラップ排出装置。
【請求項４】
前記ホッパー開口部の閉口状態においては第２端部が前記案内傾斜部に当接される請求項１〜３のいずれか１項に記載のスクラップ排出装置。
【請求項５】
前記枢着部が、前記案内傾斜部の下端よりも下方に設けられている請求項１〜４のいずれか１項に記載のスクラップ排出装置。
【請求項６】
前記蓋部の回動がエアシリンダーにより駆動される請求項１〜５のいずれか１項に記載のスクラップ排出装置。
【請求項７】
前記蓋部が、前記枢着部に第１端部が枢着された第１板材と、該第１板材の前記第１端部とは反対側の第２端部に取り付けられた第２板材と、を有し、
前記ホッパー開口部の閉口状態においては前記第２板材が略水平面となる請求項１〜６のいずれか１項に記載のスクラップ排出装置。
【請求項８】
前記第２板材の外壁面には、凹凸部が設けられている請求項７記載のスクラップ排出装置。
【請求項９】
隣合うプレス機にそれぞれスクラップ排出装置が設けられており、
前記ホッパー開口部の開口状態においては前記第２板材同士が、対向して隣合うように配置される請求項７又は８に記載のスクラップ排出装置。
【請求項１０】
前記蓋部が、前記第１板材の前記第１端部と前記第２板材とを連結支持する支持材を更に有する請求項７〜９のいずれか１項に記載のスクラップ排出装置。
【請求項１１】
前記支持材の外壁面には、ストッパー部が設けられており、
前記ホッパー開口部の開口状態においては前記ストッパー部を地面に当接させることにより、前記蓋部が位置固定される請求項１０記載のスクラップ排出装置。
【請求項１２】
前記第２板材が前記支持材との接続部を超えて延設されることにより前記ストッパー部が形成される請求項１１記載のスクラップ排出装置。
【発明の詳細な説明】
【技術分野】
【０００１】
本発明は、スクラップ排出装置に関し、更に詳しくは、プレス加工により生じるスクラップを確実に回収することができるスクラップ排出装置に関する。
【背景技術】
【０００２】
プレス機においては、プレス加工の際に生じるスクラップを排出するために、スクラップ排出装置が設けられている。
かかるスクラップ排出装置は、一般に、プレス機近くのフロア面下に設けられており、金型から排出されたスクラップ（切断片）を溝に落下させて除去するようになっている。
【０００３】
このようなスクラップ排出装置としては、例えば、プレス機の周辺のフロア面下に、上下に延設され、フロア面と平行に移動して、スクラップシュートの入口部の開口部を閉鎖する開閉蓋を備えたスクラップシュートが知られている（例えば、特許文献１参照）。
【先行技術文献】
【特許文献】
【０００４】
【特許文献１】特開平１１−３３６５２号公報
【発明の概要】
【発明が解決しようとする課題】
【０００５】
しかしながら、上記特許文献１記載のスクラップシュートにおいては、開いた状態の開閉蓋の高さが高くなり、例えば、搬送装置の動線や安全装置の光軸等と干渉する問題がある。
【０００６】
本発明は上記事情に鑑みてなされたものであり、他の装置との干渉を防止することができるスクラップ排出装置を提供することを目的とする。
【課題を解決するための手段】
【０００７】
本発明者は、上記課題を解決するため鋭意検討したところ、蓋部を閉じたときに、該蓋部の第１端部とは反対側の第２端部が、第１端部よりも上方に位置するようにすることで、意外にも、上記課題を解決し得ることを見出し、本発明を完成するに至った。
【０００８】
本発明は、（１）プレス加工により生じるスクラップを回収するためのスクラップ排出装置であって、プレス機の金型から、スクラップが滑り落ちるように案内する案内傾斜部と、案内傾斜部を滑り落ちたスクラップが落下するように設けられたホッパー部と、ホッパー部を形成する壁面のうち、案内傾斜部とは反対側の壁面の上端の枢着部に第１端部が枢着された蓋部と、を備え、蓋部がホッパー部のホッパー開口部を開閉可能となっており、蓋部を閉じたときに、該蓋部の第１端部とは反対側の第２端部が、第１端部よりも上方に位置するようになっているスクラップ排出装置に存する。
【０００９】
本発明は、（２）ホッパー開口部の開口状態においては蓋部の一面が案内傾斜部に向かい合うように反対方向に傾斜した状態で配置される上記（１）記載のスクラップ排出装置に存する。
【００１０】
本発明は、（３）蓋部が側断面視で直角三角形状となっている上記（１）又は（２）に記載のスクラップ排出装置に存する。
【００１１】
本発明は、（４）ホッパー開口部の閉口状態においては第２端部が案内傾斜部に当接される上記（１）〜（３）のいずれか１つに記載のスクラップ排出装置に存する。
【００１２】
本発明は、（５）枢着部が、案内傾斜部の下端よりも下方に設けられている上記（１）〜（４）のいずれか１つに記載のスクラップ排出装置に存する。
【００１３】
本発明は、（６）蓋部の回動がエアシリンダーにより駆動される上記（１）〜（５）のいずれか１つに記載のスクラップ排出装置に存する。
【００１４】
本発明は、（７）蓋部が、枢着部に第１端部が枢着された第１板材と、該第１板材の第１端部とは反対側の第２端部に取り付けられた第２板材と、を有し、ホッパー開口部の閉口状態においては第２板材が略水平面となる上記（１）〜（６）のいずれか１つに記載のスクラップ排出装置に存する。
【００１５】
本発明は、（８）第２板材の外壁面には、凹凸部が設けられている上記（７）記載のスクラップ排出装置に存する。
【００１６】
本発明は、（９）隣合うプレス機にそれぞれスクラップ排出装置が設けられており、ホッパー開口部の開口状態においては第２板材同士が、対向して隣合うように配置される上記（７）又は（８）に記載のスクラップ排出装置に存する。
【００１７】
本発明は、（１０）蓋部が、第１板材の第１端部と第２板材とを連結支持する支持材を更に有する上記（７）〜（９）のいずれか１つに記載のスクラップ排出装置に存する。
【００１８】
本発明は、（１１）支持材の外壁面には、ストッパー部が設けられており、ホッパー開口部の開口状態においてはストッパー部を地面に当接させることにより、蓋部が位置固定される上記（１０）記載のスクラップ排出装置に存する。
【００１９】
本発明は、（１２）第２板材が支持材との接続部を超えて延設されることによりストッパー部が形成される上記（１１）記載のスクラップ排出装置に存する。
【発明の効果】
【００２０】
本発明のスクラップ排出装置においては、蓋部を閉じた状態（以下「閉口状態」という。）のときに、該蓋部の第１端部とは反対側の第２端部が、第１端部よりも上方に位置するようになっているので、他の装置との干渉を防止することができる。すなわち、開閉時における蓋部の高さが低くなるので、他の装置との干渉も極力防止することができる。
例えば、第１端部が従来のスクラップ排出装置と同じ位置とすると、第２端部が従来のスクラップ排出装置よりも下方に位置することになるので、蓋部を開いた状態（以下「開口状態」という。）の開閉蓋の高さが低くなり、例えば、搬送装置の動線や安全装置の光軸等との干渉を防止することができる。
【００２１】
本発明のスクラップ排出装置においては、ホッパー開口部の開口状態において、蓋部の一面が案内傾斜部に向かい合うように反対方向に傾斜した状態で配置されるので、仮に、勢いよくホッパー部の上方を通過したスクラップであっても、蓋部に衝突して跳ね返り、結果的にホッパー部に落下させることができる。これにより、ホッパー部の全体の開口部（以下「拡大時開口部」という。）が広くなるので、より多くのスクラップをホッパー部から排出することができる。
【００２２】
本発明のスクラップ排出装置においては、蓋部が側断面視で直角三角形状となっているので、少ない回動角度であってもホッパー部の開閉を行うことができる。
【００２３】
本発明のスクラップ排出装置においては、ホッパー開口部の閉口状態において、第２端部が案内傾斜部に当接されるので、閉口状態における蓋部を安定化することができる。
【００２４】
本発明のスクラップ排出装置においては、枢着部が、案内傾斜部の下端よりも下方に設けられている場合、ホッパー部の入り口付近でスクラップが詰まることを防止することができる。
【００２５】
本発明のスクラップ排出装置においては、蓋部の回動がエアシリンダーにより駆動されるので、動作を自動化することができ、蓋部の開閉を容易且つ安全に行うことができる。
【００２６】
本発明のスクラップ排出装置においては、蓋部が、枢着部に第１端部が枢着された第１板材と、該第１板材の第１端部とは反対側の第２端部に取り付けられた第２板材と、を有し、ホッパー開口部の閉口状態においては第２板材が略水平面となるので、蓋部（第２板材）の上を人が楽に歩行することができる。
このとき、第２端部が案内傾斜部に当接されていると、蓋部は確実に安定化されており、蓋部の上を人が歩行したとしても、それによって蓋部が上下に振動することを抑制することができる。
なお、第２板材の上を人が歩行するのは、何らかのトラブルでラインが停止した際の修理や機械停止中にメンテナンスを行う場合等である。したがって、ロボットが搬送中のパネルを落としてしまってラインが止まった際に、それを人が取りだしに行く場合、人がホッパー部内に落ちない様にホッパー部を蓋部で閉じ、且つ蓋部の上を人が歩きやすいようになっているので、より作業が安全に行える。
また、第２板材の外壁面には、凹凸部が設けられているので、第２板材の上を人が歩行した際に、滑ることを防止できる。
【００２７】
本発明のスクラップ排出装置においては、隣合うプレス機にそれぞれ設けられたスクラップ排出装置の第２板材同士が、開口状態となると、対向して隣合うように配置されるので、プレス機間のスペースをスクラップ排出装置の蓋部で略埋めることができる。これにより、飛び散ったスクラップであっても、確実にホッパー部から排出することができる。
【００２８】
本発明のスクラップ排出装置においては、蓋部が、第１板材と第２板材とを連結支持する支持材を更に有するので、構造が補強される。特に、第１板材と第２板材との角度や位置関係が確実に固定される。
【００２９】
本発明のスクラップ排出装置においては、支持材の外壁面には、ストッパー部が設けられているので、開口時に、蓋部が地面に衝突し、傷付くことを防止できる。このとき、ストッパー部が、第２板材が前記支持材との接続部を超えて延設されて形成されたものであると、新たに取り付ける必要もなく、製造が容易である。
また、ストッパー部を地面に当接させることにより、蓋部が位置固定されるので、ストッパー部が強く衝突したとしても、開口状態を維持することができる。
【図面の簡単な説明】
【００３０】
【図１】図１の（ａ）は、本実施形態に係るスクラップ排出装置を概略的に示す側断面図であり、（ｂ）は、（ａ）を模式的に示す上面図である。
【図２】図２は、本実施形態に係るスクラップ排出装置においてホッパー部のホッパー開口部が開口した状態を概略的に示す側断面図である。
【図３】図３は、本実施形態に係るスクラップ排出装置においてホッパー部のホッパー開口部が閉口した状態を概略的に示す側断面図である。
【図４】図４は、隣合うプレス機がそれぞれ本実施形態に係るスクラップ排出装置を備えており、スクラップ排出装置のホッパー部のホッパー開口部が共に開口した状態を概略的に示す側断面図である。
【図５】図５は、隣合うプレス機がそれぞれ本実施形態に係るスクラップ排出装置を備えており、スクラップ排出装置のホッパー部のホッパー開口部が共に閉口した状態を概略的に示す側断面図である。
【図６（Ａ）】図６（Ａ）は、３機並んだプレス機がそれぞれ本実施形態に係るスクラップ排出装置を備えており、スクラップ排出装置のホッパー部のホッパー開口部が共に開口した状態を概略的に示す上面図である。
【図６（Ｂ）】図６（Ｂ）は、図６（Ａ）におけるスクラップ排出装置のホッパー部のホッパー開口部が共に閉口した状態を概略的に示す上面図である。
【図７】図７は、他の実施形態に係るスクラップ排出装置の蓋部を概略的に示す側断面図である。
【図８】図８（Ａ）及び（Ｂ）は、他の実施形態に係るスクラップ排出装置においてホッパー部のホッパー開口部が閉口した状態を概略的に示す側断面図である。
【発明を実施するための形態】
【００３１】
以下、必要に応じて図面を参照しつつ、本発明の好適な実施形態について詳細に説明する。なお、図面中、同一要素には同一符号を付すこととし、重複する説明は省略する。また、上下左右等の位置関係は、特に断らない限り、図面に示す位置関係に基づくものとする。更に、図面の寸法比率は図示の比率に限られるものではない。
【００３２】
本発明に係るスクラップ排出装置は、プレス加工により生じるスクラップ（廃金属）を回収するための装置である。
図１の（ａ）は、本実施形態に係るスクラップ排出装置を概略的に示す側断面図であり、（ｂ）は、（ａ）を模式的に示す上面図である。
図１の（ａ）に示すように、スクラップ排出装置１００は、プレス機の金型１から、スクラップが滑り落ちるように案内する案内傾斜部２と、案内傾斜部２を滑り落ちたスクラップが落下するようにフロア面１０に設けられたホッパー部３と、ホッパー部３を形成する壁面３ａのうち、案内傾斜部２とは反対側の壁面の上端の枢着部５に第１端部が枢着された蓋部７と、を備える。なお、本実施形態に係るスクラップ排出装置１００において、金型１、案内傾斜部２及びホッパー部３は、従来公知の構造が適宜用いられる。
【００３３】
本実施形態に係るスクラップ排出装置１００においては、プレス加工によって生じたスクラップが、金型１から案内傾斜部２に沿って滑り落ち、ホッパー部３に落下することにより回収されるようになっている。なお、ホッパー部３の底（図示しない）には、スクラップを回収するためのコンベア又は回収箱が配置されている。
【００３４】
スクラップ排出装置１００において、枢着部５は、案内傾斜部２の下端よりも下方に設けられている。すなわち、ホッパー部３の入口付近の開口部（以下「ホッパー開口部」という。）は、案内傾斜部２と同じ方向に傾斜していることになる。
このように、枢着部５をより下方に設けることで、ホッパー部３のホッパー開口部の上端に高低差ができるので、ホッパー部の開口面積が広くなり、スクラップが詰まることを防止することができる。なお、スクラップは、一旦、後述する蓋部７に衝突し、ホッパー部３のホッパー開口部から下方に落下することになる。
【００３５】
スクラップ排出装置１００において、蓋部７は、枢着部５を中心に回動可能となっている。かかる回動により、ホッパー部３のホッパー開口部が開閉される。なお、ホッパー部３の開閉の詳細については後述する。
このとき、蓋部７の回動は、図１の（ｂ）に示すように、両端に設けられたエアシリンダー１２により駆動されるようになっている。このため、蓋部７の開閉を自動化することができ、容易且つ安全に行うことができる。
【００３６】
図１の（ａ）に戻り、蓋部７は、枢着部５に第１端部１７ａが枢着された第１板材７ａと、第１板材７ａの第１端部１７ａとは反対側の第２端部１７ｂに取り付けられた第２板材７ｂと、第１板材７ａ及び第２板材７ｂを連結支持する支持材７ｃとを有する。
【００３７】
ここで、蓋部７は、閉口状態において、第１端部１７ａが、第２端部１７ｂよりも下方に位置するようになっている。このため、開閉時における蓋部７の高さを低くすることができるので、蓋部７を回動させても、他の装置と干渉することを極力防止できる。
また、蓋部７は、この支持材７ｃと、第１板材７ａ及び第２板材７ｂとで後述する三角構造を形成するので、構造が補強される。特に、第１板材７ａと第２板材７ｂとの角度や位置関係を確実に固定することができる。
【００３８】
本実施形態に係るスクラップ排出装置１００においては、蓋部７が、断面視で直角三角形状となっている。すなわち、第１板材７ａと、第２板材７ｂ及び支持材７ｃとは鋭角をなしており、第２板材７ｂと支持材７ｃとは直角をなしている。このため、平板上の蓋部と比較して、少ない回動角度でホッパー部の開閉を行うことができる。また、回動させる角度を少なくすることができるので、リンク機構や減速機等の機械要素を追加することなく、上述したエアシリンダー１２等の直動系の駆動源を直接用いることが可能となっている。
【００３９】
図２は、本実施形態に係るスクラップ排出装置においてホッパー部のホッパー開口部が開口した状態を概略的に示す側断面図である。
図２に示すように、開口状態においては、蓋部７の第１板材７ａが案内傾斜部に向かい合うように反対方向に傾斜した状態で配置される。
【００４０】
スクラップ排出装置１００においては、仮に、勢いよくホッパー部３の上方を通過したスクラップＳは、蓋部７の第１板材７ａの外壁面に衝突して跳ね返り、結果的にホッパー部３に落下することになる。この場合、ホッパー開口部の開口面積が大きいので、ホッパー部３に入り易い。
本実施形態に係るスクラップ排出装置１００においては、蓋部７の第１板材７ａを案内傾斜部に向かい合うように反対方向に傾斜させることにより、スクラップＳが落下する拡大時開口部の幅Ｗを実質的に広くすることができる。したがって、このように勢い余ったスクラップＳであっても、広い拡大時開口部で受け入れて、ホッパー部３から排出することができる。
【００４１】
スクラップ排出装置１００においては、第２板材７ｂが支持材７ｃとの接続部を超えて延設された部分、すなわちストッパー部８が形成されている。すなわち、支持材７ｃの外壁面に、ストッパー部８が設けられている。
したがって、ホッパー開口部の開口状態において、該ストッパー部８を地面に当接させることにより、蓋部７が確実に位置固定されることになる。これにより、スクラップＳが蓋部７に衝突することにより、蓋部７に衝撃が伝わったとしても、蓋部７は安定しており、開口状態を維持することができる。
また、ストッパー部８が設けられていることにより、開口時に、蓋部７の角等が直接地面に衝突し、傷付くことを防止できる。
【００４２】
図３は、本実施形態に係るスクラップ排出装置においてホッパー部のホッパー開口部が閉口した状態を概略的に示す側断面図である。
図３に示すように、閉口状態においては、蓋部７の第１板材７ａの第２端部１７ｂが少なくとも一部の案内傾斜部２の傾斜面に当接されることにより、閉口状態における蓋部７が安定化される。
また、上述したように、蓋部７は、断面視で直角三角形状であるので、閉口状態においては、第２板材７ｂが略水平面となる。
【００４３】
閉口状態においては、第２板材７ｂが略水平面となるので、第２板材７ｂの上を人が容易に歩行することが可能となる。
また、第１板材７ａの第２端部１７ｂが少なくとも一部の案内傾斜部２の傾斜面に当接されているので、蓋部７は確実に固定されており、蓋部７の上を人が歩行したとしても、それによって蓋部７が上下に振動することが抑制される。
【００４４】
スクラップ排出装置１００においては、第２板材７ｂの外壁面に、凹凸部９が施されている。これにより、第２板材７ｂの上を人が歩行した際に、滑ることを防止できる。
【００４５】
以上、本発明の好適な実施形態について説明したが、本発明は上記実施形態に限定されるものではない。
【００４６】
例えば、本実施形態に係るスクラップ排出装置１００は、プレス機の金型１の一方側に配置されているが、プレス機の金型１の四方側に配置されていてもよい。
【００４７】
図４は、隣合うプレス機がそれぞれ本実施形態に係るスクラップ排出装置を備えており、スクラップ排出装置のホッパー部のホッパー開口部が共に開口した状態を概略的に示す側断面図である。
図４に示すように、隣合うプレス機にそれぞれスクラップ排出装置１００Ａ、１００Ｂが設けられている場合、互いのホッパー部３のホッパー開口部の開口状態においては、第２板材７ｂ同士が、対向して隣合うように配置される。
そうすると、プレス機間のスペースをスクラップ排出装置１００の蓋部７で占めることができるので、飛び散ったりしたスクラップであっても、確実にホッパー部３から排出することが可能となる。すなわち、勢い余ってスクラップ排出装置１００Ａから更に遠方まで散らばって飛んでも、スクラップ排出装置１００Ｂの拡大時開口部から受け入れることができる。
【００４８】
このとき、スクラップ排出装置１００Ａの第１板材７ａの第２端部１７ｂと、スクラップ排出装置１００Ｂの第１板材７ａの第２端部１７ｂとが当接していることが好ましい。この場合、両者の間に隙間が無くなるので、スクラップをより確実にホッパー部３から排出することが可能となる。
【００４９】
一方、図５は、隣合うプレス機がそれぞれ本実施形態に係るスクラップ排出装置を備えており、スクラップ排出装置のホッパー部のホッパー開口部が共に閉口した状態を概略的に示す側断面図である。
図５に示すように、隣合うプレス機にそれぞれスクラップ排出装置１００Ａ、１００Ｂが設けられている場合、互いのホッパー部３のホッパー開口部の閉口状態においては、プレス機間にスペースＶが生じる。
このため、例えば、スペースＶにレールＬを埋め込み、該レールＬに沿って台車Ｄ等を進入させることにより、該台車Ｄに載せたロボットに装着させるツールＴを容易に交換することが可能となる。
【００５０】
図６（Ａ）は、３機並んだプレス機がそれぞれ本実施形態に係るスクラップ排出装置を備えており、スクラップ排出装置のホッパー部のホッパー開口部が共に開口した状態を概略的に示す上面図であり、図６（Ｂ）は、図６（Ａ）におけるスクラップ排出装置のホッパー部のホッパー開口部が共に閉口した状態を概略的に示す上面図である。
【００５１】
図６（Ａ）に示すように、３機のプレス機Ｐには、それぞれスクラップ排出装置１００Ａ、１００Ｂが設けられている。そして、各スクラップ排出装置１００Ａ、１００Ｂのホッパー開口部が開口している場合、すなわち、プレス機Ｐの稼働中には、隣り合うプレス機Ｐ間のスペースＶは、蓋部７で占めることができるので、飛び散ったりしたスクラップであっても、確実にホッパー部３から排出することが可能となる。
【００５２】
一方、図６（Ｂ）に示すように、各スクラップ排出装置１００Ａ、１００Ｂのホッパー開口部が閉口している場合、すなわち、プレス機Ｐの休止中には、プレス機Ｐ間にスペースＶが生じている。このため、スペースＶに敷設されたレールＬに沿って、台車Ｄ等を進入させることにより、該台車Ｄに載せたロボットに装着させるツールＴを容易に交換することが可能となる。
【００５３】
なお、図６（Ａ）及び（Ｂ）においては、プレス機Ｐが３機配列されているが、これに限定されず、２機であってもよく、４機以上が配列されていてもよい。
【００５４】
本実施形態に係るスクラップ排出装置１００において、枢着部５は、案内傾斜部２の下端よりも下方に設けられているが、必ずしもこれに限定されない。
【００５５】
本実施形態に係るスクラップ排出装置１００において、蓋部７は、枢着部５に第１端部１７ａが枢着された第１板材７ａと、該第１板材７ａの第２端部１７ｂに取り付けられた第２板材７ｂと、第１板材７ａ及び第２板材７ｂを連結支持する支持材７ｃとを有しているが、強度が十分であれば、蓋部は、第１板材と第２板材とからなるものであってもよく、第１板材と第２板材とが一体化されていてもよい。
【００５６】
本実施形態に係るスクラップ排出装置１００において、蓋部７は、断面視で直角三角形状となっているが、図７に示すように、台形状であってもよい。
【００５７】
本実施形態に係るスクラップ排出装置１００において、蓋部７の回動は、エアシリンダー１２により駆動されるようになっているが、油圧シリンダ、ボールネジ、ラックピニオン、リニアモータ等の直動機構により駆動されるようになっていてもよい。
【００５８】
本実施形態に係るスクラップ排出装置１００においては、第２板材７ｂが支持材７ｃとの接続部を超えて延設されたストッパー部８が形成されているが、この構造に限定されない。
例えば、支持材７ｃの外壁面に、別の板材からなるストッパー部が設けられていてもよい。
【００５９】
本実施形態に係るスクラップ排出装置１００において、蓋部７の第１板材７ａが案内傾斜部２の傾斜面に接触されているが、接触の状態は、図３に示すように、必ずしも面接触である必要はない。
例えば、図８（Ａ）及び（Ｂ）に示すように、蓋部７の第１板材７ａの少なくとも一部を案内傾斜部２の傾斜面に当接させる状態とすることも可能である。
【００６０】
本実施形態に係るスクラップ排出装置１００においては、第２板材７ｂの外壁面に、凹凸部９が施されているが、凹凸部９の代わりに、粘着テープ等の滑り止め材を用いてもよい。
【産業上の利用可能性】
【００６１】
本発明に係るスクラップ排出装置１００は、プレス加工の際に生じるスクラップを排出する装置として用いられる。本発明に係るスクラップ排出装置によれば、飛び散ったスクラップも排出することができると共に、他の装置との干渉も防止することができる。
【符号の説明】
【００６２】
１・・・金型
２・・・案内傾斜部
３・・・ホッパー部
３ａ・・・壁面
５・・・枢着部
７・・・蓋部
７ａ・・・第１板材
７ｂ・・・第２板材
７ｃ・・・支持材
８・・・ストッパー部
９・・・凹凸部
１０・・・フロア面
１２・・・エアシリンダー
１７ａ・・・第１端部
１７ｂ・・・第２端部
１００，１００Ａ，１００Ｂ・・・スクラップ排出装置
Ｄ・・・台車
Ｌ・・・レール
Ｐ・・・プレス機
Ｓ・・・スクラップ
Ｔ・・・ツール
Ｖ・・・スペース
【図１】
2014184442.tif 000003
【図２】
2014184442.tif 000004
【図３】
2014184442.tif 000005
【図４】
2014184442.tif 000006
【図５】
2014184442.tif 000007
【図６（Ａ）】
2014184442.tif 000008
【図６（Ｂ）】
2014184442.tif 000009
【図７】
2014184442.tif 000010
【図８】
2014184442.tif 000011